(57)【特許請求の範囲】
【請求項１】
糸の経路に沿って隔設配置される複数個の固定糸案内部品と、隣接相対する固定糸案内部品の間で、糸の経路を横切るように配置されている少なくとも２個の可動糸案内部品と、少なくとも２個の可動糸案内部品を固定支持する回転体と、該回転体を回転させて該回転体とともに可動糸案内部品を回動させ、各固定糸案内部品間の糸をその経路と交差方向へ屈曲させる駆動手段と、該駆動手段を駆動制御する制御装置を備え、さらに前記可動糸案内部品の回動位置を機械的に制限する回転制限手段と、前記可動糸案内部品の復元位置を機械的に制限する停止手段を、前記回転体の回転軸芯を軸として回動可能である支持部材に設けてなることを特徴とする糸ブレーキ。
【請求項２】
回転体の回転軸芯を中心とする対称位置かつ等距離に配置されたそれぞれのタップからなる回転制限手段と、駆動手段の非駆動時には、少なくとも２個の可動糸案内部品を停止手段に係止させる戻しばねを設けたことを特徴とする請求項１に記載の糸ブレーキ。
【請求項３】
少なくとも２個の可動糸案内部品は、回転体の回転軸芯を中心とする対称位置かつ等距離に設けられていることを特徴とする請求項1または２に記載の糸ブレーキ。
【請求項４】
駆動手段は、直流モータで構成されていることを特徴とする請求項1または２に記載の糸ブレーキ。
【請求項５】
支持部材には、回転制限手段及び停止手段の位置を変更可能とする設定手段が具備されていることを特徴とする請求項１に記載の糸ブレーキ。
【請求項６】
可動糸案内部品は、回転制限手段と協働して、走行する糸に制動をかけることを特徴とする請求項１、２、３または５のいずれかに記載の糸ブレーキ。
【請求項７】
複数個の固定糸案内部品は、第１の固定糸案内部品と、第２の固定糸案内部品と、第３の固定糸案内部品と、第４の固定糸案内部品とからなり、その第１の固定糸案内部品と第２の固定糸案内部品との間に、第１の可動糸案内部品が配置され、第３の固定糸案内部品と第４の固定糸案内部品との間に、第２の可動糸案内部品が配置されていることを特徴とする請求項１に記載の糸ブレーキ。
【請求項８】
第１の可動糸案内部品と第２の可動糸案内部品との間に位置される第２固定糸案内部品及び第３の固定糸案内部品を配置し、この第２固定糸案内部品と第３の固定糸案内部品との間に、糸用のノズルおよびこのノズルに対応するダクトを設けたことを特徴とする請求項１、または７に記載の糸ブレーキ。
【請求項９】
第１の固定糸案内部品に、糸通しノズルを設けたことを特徴とする請求項１、７または８に記載の糸ブレーキ。
【発明の詳細な説明】
【０００１】
【産業上の利用分野】
本発明は、一般的に糸ブレーキに関し、さらに詳しくは、織機用の糸ブレーキに関する。
【０００２】
【従来の技術】
一般的に糸ブレーキは、織機では他の用途に使用することもできるが、第一義的には供給スプールと横糸をヒ口に挿入する手段との間で、この横糸に制動をかけるために使用することを意味する。ここでこの糸ブレーキは、横糸の動きが阻止された場合でも、横糸が切れる危険が少なくなるように、横糸がヒ口の端部に到着する前にこの横糸に制動をかけることを目的とする。
【０００３】
また本発明では、常に各織布サイクルの適切な時点で、横糸に対し制動を迅速にかけることを可能とする糸ブレーキの提供を目的とする。
【０００４】
また本発明では、耐久性（寿命の永い）に優れた糸ブレーキの提供を目的とする。
【０００５】
さらに本発明では、構造が非常に小型である糸ブレーキの提供を目的とする。
【０００６】
【課題を解決するための手段】
上記目的を達成せしめるために本発明では、糸の経路に沿って隔設配置される複数個の固定糸案内部品と、隣接相対する固定糸案内部品の間で、糸の経路を横切るように配置されている少なくとも２個の可動糸案内部品と、少なくとも２個の可動糸案内部品を固定支持する回転体と、該回転体を回転させて該回転体とともに可動糸案内部品を回動させ、各固定糸案内部品間の糸をその経路と交差方向へ屈曲させる駆動手段と、該駆動手段を駆動制御する制御装置を備え、さらに前記可動糸案内部品の回動位置を機械的に制限する回転制限手段と、前記可動糸案内部品の復元位置を機械的に制限する停止手段を、前記回転体の回転軸芯を軸として回動可能である支持部材に設けてなる糸ブレーキであることを特徴としている。
【０００７】
上記の回転体は、回転軸を中心に回転することができ、上記の可動糸案内部品は上記の回転軸の片側に沿って等間隔に上記の回転体に取り付けられたピンによって構成されるのが好ましい。上記の駆動手段は、電磁駆動装置によって構成されるのが好ましい。
【０００８】
本発明による糸ブレーキは、上記の回転体および駆動手段の軸受けは負荷が対称であるため、小さな力だけを吸収すればよく、摩耗が少なく耐久性に優れるという利点を有する。
【０００９】
この糸ブレーキは、また２箇所に制動領域が設けられているので、僅かな回転で強力な制動力が提供されるという利点を有する。
【００１０】
更に、２箇所の制動領域の間には他の機能を統合するのに適した領域が存在する。
【００１１】
本発明の特徴を説明するため、添付図を参照して以下の好適な実施例を例として説明するが、これは本発明を限定するものではない。
【００１２】
【実施例】
図１は、織機の横糸である糸２に制動をかける場合の糸ブレーキ１の構成を示す。周知のように、ここでは糸２は供給スプール３から巻きもどされ、巻取管６によってドラム５のプレワインダー４に巻き取られ、電磁的に制御される阻止部品７によってドラム５から断続的に解放され、挿入手段８によって織機のヒ口９に挿入される。エアジェット織機の場合、通常挿入手段８は、通常固定された補助主ノズル１０および織機のスレー１１に取り付けた主ノズル１２によって構成される。
【００１３】
糸ブレーキ１は、補助主ノズル１０の入口に装着するのが好ましく、阻止部品７が閉鎖した場合、糸２が緩慢に静止するように、ヒ口９への挿入が終了する毎に糸２に制動をかけることを目的とする。
【００１４】
本発明によれば、図２ないし図３に示すように、糸ブレーキ１は、主として多数個の固定糸案内部品１３，１４，１５および１６、つまり第１の固定糸案内部品１３，第２の固定糸案内部品１４，第３の固定糸案内部品１５および第４の固定糸案内部品１６と、回転体１７に取り付けられた少なくとも２つの可動糸案内部品１８および１９、つまり第１の可動糸案内部品１８および第２の可動糸案内部品１９と、上記回転体１７の回転を制限する回転制限手段２０、および上記の回転体１７を回転させる駆動手段２１およびこの駆動手段２１を駆動制御する制御装置によって構成される。
【００１５】
各固定糸案内部品１３，１４，１５および１６は、一直線上に配置されるのが好ましい。本実施例では、第１，第２の固定糸案内部品１３，１４および第３の固定糸案内部品１５には導糸穴が形成され、一方第４の固定糸案内部品１６には、補助主ノズル１０の入口が形成される。
【００１６】
回転体１７が回転すると、第１および第２の可動糸案内部品１８と１９は、第１乃至第４の固定糸案内部品１３ないし１６によって案内された糸２の経路を、反対方向（つまり経路を横切る方向）に向けることができ、その結果制動中の糸２は、図５で示す位置で２方向に折り曲げられる。すなわち、第１の固定糸案内部品１８と第２の可動糸案内部品１９は、第１と第２の固定糸案内部品１３と１４との間、および第３と第４の固定糸案内部品１５と１６の間で動くことができる。第２および第３の糸案内部品１４と１５を共通の部品と置き換えた場合でも、同様の効果が得られることが明瞭である。
【００１７】
駆動手段２１は、例えば回転軸２２に取り付けた金属または磁気回転子２６、および励磁された場合回転子２６に回転運動Ｖを発生させるソレノイド２７のような電気駆動装置によって構成される。当然、この駆動手段２１は、直流モータのような他の電気駆動装置によって構成することもできる。
【００１８】
上記回転体１７に設けた回転軸２２は、ハウジング２４に設けられている軸受２３により回転可能に支持されている。第１，第２の可動糸案内部品１８と１９は、L字状に折り曲げ形成されたピンにより構成されており、それらの可動糸案内部品１８と１９とは、軸芯２５に対し等間隔対称位置に対設されていることが好ましい。
【００１９】
双方の可動糸案内部品１８と１９は、対称位置に設けられているので、回転体１７と、これに取り付けた双方の可動糸案内部品１８と１９の重心は回転軸芯２５の重心と一致し、上記の回転体１７の回転中に生じる加速および減速に起因する力を軸２２の軸受２３に発生させないという点で有利がある。
【００２０】
図示の実施例では、回転軸芯２５は垂直に位置され、その結果、糸ブレーキ１内で発生する糸屑は落下するので、駆動手段２１に付着することがない。
【００２１】
糸ブレーキ１には、戻しバネ２８のような戻し手段を設け、これによっては駆動手段２１による励磁が停止した後、回転体１７を元に戻す。本実施例の戻しバネ２８は、各可動糸案内部品１８と１９とが、例えば２個のタップ３０でなる停止手段２９に当接されるように回転体１７を付勢する。制動中、回転体１７の回転を制限する上述の回転制限手段２０は、例えば、２個のタップ３１によって構成することもでき、これは各可動糸案内部品１８と１９と協働することができる。
【００２２】
上述のそれぞれのタップ３０と３１は、回転体１７の回転軸芯２５から等距離に位置するのが好ましく、その結果、この構成によって、可動糸案内部品１８と１９が上記のタップ３０と３１と当接した場合でも、回転軸２２の軸受２３に何の力も発生しない。
【００２３】
変形例によれば、回転体１７の回転を制限する上述の回転制限手段２０と停止手段２９は、回転体１７が取り付けられている回転軸２２の高さに設けることもでき、また回転子２６の高さに設けることもできることが明らかである。
【００２４】
糸ブレーキ１には、その制御力を変更できる設定手段３２を設けるのが好ましい。この目的のため、少なくとも回転制限手段２０および好ましくは停止手段２９も可動にすることができる。この目的のため、図４で示すようにタップ３０と３１は支持部材３３に取り付けられ、この支持部材３３は回転軸芯２５を中心として回転することができ、さらに調節ネジ３４によって必要な角度位置に位置調整したうえで固定することができる。
【００２５】
図２と図３に示すように、固定糸案内部品１４と１５との間の領域に、もし必要なら、ノズル３５を設け、ダクト３６内に糸２を吹き込むことができる。糸２を引き出せるように、ダクト３６に廃棄物缶３７を接続することもできる。
【００２６】
誤って挿入された横糸２は、供給スプール３にこれのための接続部を設け、この接続部に米国特許番号第４，８９８，２１４号で説明されているような処理を施すことによって、ヒ口９から取り除くことができることが知られている。この手順によれば、糸２は挿入手段８の高さに張られる。しかし、糸２は切れないかもしれないので、阻止部品７をその阻止位置から外し、巻きついた糸２を解放する。この余分の糸の端がヒ口９に侵入するのを防止するため、反転ノズルを設け糸２を教示通りに保持する。本発明によれば、この反転ノズルの機能は、糸２をダクト３６内に吹き込むノズル３５によって実行される。
【００２７】
幾つかのダクトを使用して織布を行い、糸切れによって１つのダクトに切り替える場合、糸がほつれたりヒ口に吹き込まれるのを防止するため、使用していないダクトの主ノズルから糸を暫くの間取り除かなければならないことが知られている。米国特許番号第４，９９８，５６７号から分かるように、この目的のため、糸除去装置を使用することができる。このような装置の機能は、本発明によれば、この目的のため糸２をダクト３６内に吹き込むノズル３５によって実行することができる。
【００２８】
上述の領域では、糸２の存在を検出することができる検出器３８をハウジング２４と一体的に取り付けることもできる。
【００２９】
また、糸案内部品１３の高さに、糸通しノズル３９を設けることができる。
【００３０】
図２と図５は、補助主ノズル１０、ノズル３５と糸通しノズル３９に対して、どのようにしてバルブ４０，４１および４２よって圧縮空気を供給するかを更に示し、これらのバルブは駆動および制御装置４３によって駆動される。ソレノイド２７は、また制御線４４を介して制御装置４３によって制御される。
【００３１】
以下に図２と図５によって、糸ブレーキ１の動作を説明する。糸ブレーキ１の静止状態では、回転体１７は、図２に示す位置にあり、これによって糸案内部品１８と１９は戻しバネ２８によって底部をタップ３０に対して付勢される。この位置で、糸２は糸ブレーキ１の動作を受けることなく自由に通過することができる。
【００３２】
各糸２の挿入が完了する毎に、糸２は阻止部品７によって完全に停止される前に制動をかけられる。この目的のため、ソレノイド２７が励磁され、その結果、回転体１７が回転して図５に示す位置となり、これによって第１および第２の可動糸案内部品１８と１９の底部がタップ３１と接触する。このとき糸２が、各可動糸案内部品１８と１９との周囲で曲げられることによって、糸２は、各固定糸案内部品１３，１４，１５，１６および各可動糸案内部品１８と１９との接触摩擦で制動がかけられる。この制動力はタップ３１の設定位置によって決定され、駆動手段２１のトルクによって決定されない。このトルクは強いので、非常に速く制動がかけられる。
【００３３】
図２ないし図５の実施例では、糸２は、専ら第１の固定糸案内部品１３，第１の可動糸案内部品１８，第２の固定糸案内部品１４，第３の固定糸案内部品１５，第２の可動糸案内部品１９および第４の固定糸案内部品１６に沿って曲げられることによって制動がかけられる。
【００３４】
図６と図７に示すように、糸ブレーキ１を励磁した場合、糸２は、これが各可動糸案内部品１８と１９およびタップ３１の間に挟まれることによって制動がかけられるように、タップ３１を設けることもできる。図６と図７の実施例では、駆動手段２１は回転可能な支持材３３と一体化されている。分かり易くするため、図６と図７では、調節ネジ３４を２箇所の異なった位置で示す。この糸ブレーキ１を、エアージェット織機以外にも使用できることは明らかである。
【００３５】
固定糸案内部品の間でそれぞれ移動することができる上述の回転体１７に設けた可動糸案内部品１８と１９を複数対設けることもできることが明らかである。従って、例えば６個の固定糸案内部品を直線的に配置すると共に４個の可動糸案内部品を用いることも可能であり、これによって、各可動糸案内部品は各回毎に２個の固定糸案内部品の間で移動することができる。
【００３６】
本発明は、例として説明し、添付図に示した実施例に限定されるものではなく、このような糸ブレーキは本発明の範囲を逸脱することなく、種々の形態と寸法で製造することができる。
【図面の簡単な説明】
【図１】本発明による使用中の糸ブレーキを示す。
【図２】本発明による糸ブレーキの正面断面図を示す。
【図３】図２の線III −III で切断した断面図を示す。
【図４】図３の線IV−IVで切断した断面図を示す。
【図５】図２に示す糸ブレーキを異なる位置で示す。
【図６】本発明による変形を示す。
【図７】図６の線VII−VIIで切断した断面図を示す。
【符号の説明】
１・・・糸ブレーキ
２・・・糸
１０・・・固定補助主ノズル
１３・・・第１の固定糸案内部品
１４・・・第２の固定糸案内部品
１５・・・第３の固定糸案内部品
１６・・・第４の固定糸案内部品
１７・・・回転体
１８・・・第１の可動糸案内部品
１９・・・第２の可動糸案内部品
２０・・・回転制限手段
２１・・・駆動手段
２２・・・回転軸
２３・・・軸受
２４・・・ハウジング
２５・・・回転軸芯
２６・・・回転子
２７・・・ソレノイド
２８・・・戻しバネ
２９・・・停止手段
３０，３１・・・タップ
３３・・・支持部材
３５・・・ノズル
３８・・・糸検出装置
３９・・・糸通しノズル
４３・・・制御装置
４４・・・制御線
【図１】
0003721203.tif 000002
【図２】
0003721203.tif 000003
【図３】
0003721203.tif 000004
【図４】
0003721203.tif 000005
【図５】
0003721203.tif 000006
【図６】
0003721203.tif 000007
【図７】
0003721203.tif 000008